(57)【要約】      （修正有）【課題】操作子によってスクラッチ後に表示される画像を変更する。【解決手段】情報表示装置は、複数の操作子による入力を取得するために感圧式タッチパネル、電磁誘導式タッチパネル、マイクなどの入力手段を備える。表示部はスクラッチ後の画像を隠したスクラッチ画像を表示しステップ２、複数の入力手段の出力の変化を判定する事でユーザがどの操作子によってスクラッチを行ったかを検出をするステップ４。検出された操作子によってスクラッチ後の表示される画像を決定するステップ５。【選択図】図３
2016218496.tif 000002
【特許請求の範囲】
【請求項１】
第一画像を操作子の入力によって消去する消去手段と、
前記操作子に基づいて、第一画像を消去した際に表示する第二画像を変更する変更手段と、
を備える情報表示装置。
【請求項２】
前記消去手段は、複数種類の操作子のうちのいずれかによって第一画像を消去し、
前記変更手段は、前記操作子の種類に基づいて第二画像を変更することを特徴とする請求項１に記載の情報表示装置。
【請求項３】
前記操作子の入力強度を検出する検出手段する検出手段と、
を更に備え、
前記消去手段は、前記入力強度に基づいた消去を行うことを特徴とする請求項１又は２に記載の情報表示装置。
【請求項４】
前記操作子の入力は、タッチ入力又は、タッチペン入力、マイクであることを特徴とする請求項１〜３のいずれか一項に記載の情報表示装置。
【請求項５】
前記第二画像に基づいてクーポンを出力する出力部を
を備える請求項１〜４のいずれか一項に記載の情報表示装置。
【請求項６】
第一画像を操作子の入力によって消去する消去処理と、
前記操作子に基づいて、第一画像を消去した際に表示する第二画像を変更する変更処理と、
を含む情報表示方法。
【請求項７】
コンピュータを、
第一画像を操作子の入力によって消去する消去手段、
前記操作子に基づいて、第一画像を消去した際に表示する第二画像を変更する変更手段、
をとして機能させるプログラム。
【発明の詳細な説明】
【技術分野】
【０００１】
本発明は、情報表示装置、情報表示方法及びプログラムに関する。
【背景技術】
【０００２】
従来、スクラッチの回数が多いほど賞金を減らすことのできる情報提供システムがある。しかしながら、従来の方法では、操作子は一つしか考えておらず、他の操作子でスクラッチをしても、結果は変わらなかった。
【先行技術文献】
【特許文献】
【０００３】
【特許文献１】特開２００３−１４１０７１号公報
【発明の概要】
【発明が解決しようとする課題】
【０００４】
本発明は、従来技術の有する課題に鑑みてなされたものであり、操作子に基づいた処理を行うことが可能な情報表示装置、情報表示方法及びプログラムを提供する事である。
【課題を解決するための手段】
【０００５】
第一画像を操作子の入力によって消去する消去手段と、
前記操作子に基づいて、第一画像を消去した際に表示する第二画像を変更する変更手段と、
を備える情報表示装置。
【発明の効果】
【０００６】
操作子に基づいた処理を行うことができる。
【図面の簡単な説明】
【０００７】
【図１】は、本実施形態に係るブロック図である。
【図２】は、本実施形態に係る景品テーブルを示す図である。
【図３】は、本実施形態に係るフローチャートを示す図である。
【発明を実施するための形態】
【０００８】
以下、図面に基づき本発明の実施形態について説明する。
【０００９】
図１は、本実施形態に係る情報表示装置１のブロック図を示す図である。情報表示装置１は、制御部１１、表示部１２、入力部１３、マイク１４、記憶部１５を備え、入力部１３は、感圧式タッチパネル１３１、電磁誘導式タッチパネル１３２を含むものである。
【００１０】
制御部１１は、ＣＰＵ（Ｃｅｎｔｒａｌ  Ｐｒｏｃｅｓｓｉｎｇ  Ｕｎｉｔ）等によって構成され、記憶部１５に記億されている各種のプログラムを実行して所定の演算や各部の制御を行うＣＰＵとプログラム実行時の作業領域となるメモリとを備えている（いずれも図示略）。
【００１１】
表示部１２は、液晶ディスプレイ等から構成され、制御部１１から伝達された情報を表示する。入力部１３は、感圧式タッチパネル１３１と電磁誘導式タッチパネル１３２を備える。感圧式タッチパネルは、表示部１２に対するユーザ操作の圧力を検出し、ユーザ操作の表示部１２に対する位置と圧力の強度を決定する。また、電磁誘導式タッチパネルは、表示部１２の下にセンサを配置する事で専用のタッチペンによってユーザ操作を認識するものである。
【００１２】
マイク１４は、外部の音を検出し、その大きさを音量として制御部１１に出力する。本実施形態では、ユーザがマイクに息を吹きかけることによる音量を測定する事でスクラッチ処理を行う。
【００１３】
記憶部１５は、景品テーブル１５１を記憶する。景品テーブル１５１は景品を決定することに使用し、乱数と操作子によって景品を決定する。図２は、景品テーブル１５１を説明する図である。印字部１６は、スクラッチ処理によって表示された景品画像に基づいてクーポンを印刷する。
【００１４】
本実施形態では、０．００から０．９９の乱数を発生させることによって景品を変更する。発生させた乱数が０．００から０．５０であった場合は、「ハズレ」となり、０．５１から０．７４の場合はｃ賞、０．７５から０．８９の場合はｂ賞、０．９０から０．９９の場合はａ賞となる。なお、景品のランクの決定方法は上記に限らない。
【００１５】
また、乱数を発生させ景品のランクを決定した後に、ユーザがスクラッチ処理を行うために選択した操作子に基づいて景品を変更する。ユーザがタッチペンによってスクラッチ処理を開始した場合１類の景品、感圧式タッチパネルが手による操作を検出した場合は２類、マイクが息による操作によって音量の変化を検出した場合は３類の景品となる。
【００１６】
景品テーブル１５１は、乱数と操作子との組合せによって決定した表示する画像を記憶している。例えば、乱数が０．４３の場合は、「ハズレ」の画像となり、乱数が０．８８で操作子が「タッチペン」の場合は「ｂ１」の画像となる。ここで例えば「ａ１」から「ｃ３」の景品画像は景品と対応する画像となる。
【００１７】
図３は、本実施形態に係る情報処理装置１の情報表示処理のフローチャートを示す図である。
情報処理装置１は、抽選処理を行う（ステップ１）。抽選処理は、まず制御部１１を使用し０．００から０．９９の乱数を発生させる。その後、景品テーブル１５１を参照し、その発生させた乱数が０．００から０．５０、０．５１から０．７４、０．７５から０．８９、０．９０から０．９９のどの範囲にあるかを判定することによって景品のランクを決定する。
【００１８】
ステップ１で抽選処理を行い景品のランクを決定した後、スクラッチ画像を表示する（ステップ２）。
【００１９】
制御部１１は感圧式タッチパネル、電磁誘導式タッチパネル又はマイクの入力に変化があったか否かに基づいてユーザによってスクラッチが開始されたかを判定する（ステップ３）。ステップ３でスクラッチが開始されていないと判定された場合（ステップ３  ＮＯ）、スクラッチが開始されるまでステップ３を繰り返す。
【００２０】
ステップ３でスクラッチが開始されたと判定された場合は（ステップ３Ｙｅｓ）、制御部１１は、感圧式タッチパネル、電磁誘導式タッチパネル又はマイクのどの操作子の入力に変化があったか基づいて操作子を検出する（ステップ４）。
【００２１】
操作子を検出した後、制御部１１は、ステップ１で決定した景品ランクをステップ３で検出した操作子に基づいて景品テーブル１５１を参照する事でスクラッチされた後の景品画像を決定する（ステップ５）。
【００２２】
その後、ユーザのスクラッチ操作があるかを判定し（ステップ６）、スクラッチ操作に基づいてスクラッチ処理を行う（ステップ７）。スクラッチ処理とは、ステップ２で表示したスクラッチ画像に対してユーザの操作に基づいてスクラッチ画像を消去し、消去した部分に景品画像を表示させる処理である。
【００２３】
例えば、ユーザが手によってスクラッチを行う場合、制御部１１は感圧式タッチパネル１３１からユーザが指定した位置情報と圧力情報を取得する。位置情報は、スクラッチ画像を消去する中心に用い、圧力情報は中心からの幅に用いる。また、マイク１４によるスクラッチ処理は、音量を用い、音量が大小に基づいてスクラッチ画像を消去する早さを変更する。制御部１１が、電磁誘導式タッチパネルの入力を検出した場合、その位置情報の速度によってスクラッチ画像を消去する幅を変更しても良い。
【００２４】
制御部１１は、ステップ７のスクラッチ処理で景品画像が全て表示されたかに基づいてスクラッチ処理が終了したかを判定する（ステップ８）。ステップ８でスクラッチ処理が終了していないと判定した場合は（ステップ８  ＮＯ）、ステップ７のスクラッチ処理を繰り返す。
【００２５】
ステップ８でスクラッチ処理が終了したと判定した場合は（ステップ８  Ｙｅｓ）、表示された景品画像に基づいて景品を決定する（ステップ９）。
【００２６】
印字部１６は、ステップ９で決定した景品のクーポンを印刷し終了する。
【００２７】
なお、決定した景品のクーポンは印字部１６によって印刷することによる出力に限らず、本実施形態の情報表示装置１がユーザの端末であった場合、通信部を設け通信によって取得しても良い。
なお、操作子は、タッチペン、手、息に限らず、他の操作子でもよい。
【００２８】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００２９】
（付記１）
第一画像を操作子の入力によって消去する消去手段と、
前記操作子に基づいて、第一画像を消去した際に表示する第二画像を変更する変更手段と、
を備える情報表示装置。
（付記２）
前記消去手段は、複数種類の操作子のうちのいずれかによって第一画像を消去し、
前記変更手段は、前記操作子の種類に基づいて第二画像を変更することを特徴とする請求項１に記載の情報表示装置。
（付記３）
前記操作子の入力強度を検出する検出手段する検出手段と、
を更に備え、
前記消去手段は、前記入力強度に基づいた消去を行うことを特徴とする請求項１又は２に記載の情報表示装置。
（付記４）
前記操作子の入力は、タッチ入力又は、タッチペン入力、マイクであることを特徴とする請求項１〜３のいずれか一項に記載の情報表示装置。
（付記５）
前記第二画像に基づいてクーポンを出力する出力部を
を備える請求項１〜４のいずれか一項に記載の情報表示装置。
（付記６）
第一画像を操作子の入力によって消去する消去処理と、
前記操作子に基づいて、第一画像を消去した際に表示する第二画像を変更する変更処理と、
を含む情報表示方法。
（付記７）
コンピュータを、
第一画像を操作子の入力によって消去する消去手段、
前記操作子に基づいて、第一画像を消去した際に表示する第二画像を変更する変更手段、
をとして機能させるプログラム。
【符号の説明】
【００３０】
１１  制御部
１２  表示部
１３  入力部
１３１  感圧式タッチパネル
１３２  電磁誘導式タッチパネル
１４  マイク
１５  記憶部
１５１  景品テーブル
【図１】
2016218496.tif 000003
【図２】
2016218496.tif 000004
【図３】
2016218496.tif 000005